(57)【特許請求の範囲】
【請求項１】
開口部を備えた形材で形成したフレームと、
前記フレーム内で該フレームの長手方向にのみ移動可能に支持された被固定部材と、
前記被固定部材に取着され、該被固定部材を前記フレームに固定する固定手段と
を備えた日射遮蔽装置において、
前記固定手段は、
弾性を有する圧接部材と、
前記被固定部材に形成され、前記圧接部材を前記被固定部材の固定位置と固定解除位置との間で回動可能に支持する支持部と、
前記被固定部材に形成され、前記固定位置で前記圧接部材を前記フレームの内側面上部に圧接する圧接力生成手段と
を備え、
前記圧接部材は、金属線材を折り曲げて並行に延びる並行部を形成するとともに、前記並行部の先端を前記フレームの内側面に向かって折曲げ、前記被固定部材には前記固定位置で前記並行部の間隔を拡大して該並行部の先端を前記フレームの内側面に圧接する突起を前記圧接力生成手段として設けたことを特徴とする日射遮蔽装置。
【請求項２】
前記被固定部材には、前記圧接部材を前記固定位置に案内する操作片を設け、前記操作片を前記フレームの開口部に露出したことを特徴とする請求項１記載の日射遮蔽装置。
【請求項３】
前記被固定部材には、前記圧接部材を前記固定位置に保持する保持部を設けたことを特徴とする請求項１又は２記載の日射遮蔽装置。
【請求項４】
前記被固定部材には、前記保持部の作動を解除する解除装置を設け、前記解除装置を前記開口部に露出したことを特徴とする請求項３記載の日射遮蔽装置。
【請求項５】
前記圧接部材を、弾性を有する金属線材で形成したことを特徴とする請求項１乃至４のいずれか１項に記載の日射遮蔽装置。
【発明の詳細な説明】
【技術分野】
【０００１】
この発明は、たくし上げカーテンの昇降コード巻取り装置等の被固定部材に、該被固定部材をフレームに固定する固定手段を備えた日射遮蔽装置に関するものである。
【背景技術】
【０００２】
たくし上げカーテンは、フレームからカーテン生地が吊下支持され、そのカーテン生地の下端部を昇降コードで引き上げることによりカーテン生地をたくし上げ、あるいは下降させて採光量を調節可能としたものである。
【０００３】
フレーム内には昇降コード巻取り装置が配設され、フレームの一端には操作チェーンを垂下した操作装置が取着される。そして、操作チェーンの操作により操作装置を介して駆動軸を回転させ、その駆動軸の回転に基づいてカーテン生地を昇降可能となっている。
【０００４】
上記のようなたくし上げカーテンでは、昇降コード巻取り装置を固定ネジでフレームに固定したり、特許文献１に開示されるように、昇降コード巻取り装置の軸受け部材に設けられた固定金具を回動させることによりフレームに固定するようになっている。
【０００５】
また、合成樹脂の弾性を利用して、昇降コード巻取り装置をフレームに固定する固定装置も提案されている。
特に、カーテン生地が設置現場でフレームに取着されるたくし上げカーテンでは、カーテン生地の裏面に取着される案内リングに昇降コードを挿通するために、昇降コード巻取り装置の固定位置をフレームの長手方向に調整する必要がある。従って、昇降コード巻取り装置をフレームの所望位置に固定するために、上記のような固定ネジや固定金具を使用している。
【先行技術文献】
【特許文献】
【０００６】
【特許文献１】特開２０１０−５３１４号公報
【発明の概要】
【発明が解決しようとする課題】
【０００７】
昇降コード巻取り装置の軸受け部材を固定ネジで固定するたくし上げカーテンでは、その固定作業にドライバ等の工具が必要となるとともに、フレームの下方から固定ネジを螺入する作業が煩雑である。
【０００８】
合成樹脂の弾性を利用して昇降コード巻取り装置をフレームに固定する固定装置では、合成樹脂の塑性変形により保持力が経時劣化するため、昇降コード巻取り装置を安定して固定することができない。
【０００９】
特許文献１に開示される固定装置では、固定金具をフレームの開口部近傍に当接させて、軸受け部材をフレーム内の天井面に圧接する構成である。このため、形材で形成されるフレームの開口部の寸法精度がもともと不安定であることと、固定金具による押圧力により開口部に撓みが生じ易いことから、軸受け部材をフレームに確実に固定できなかったり、あるいは固定金具を回動操作するために大きな操作力が必要となることがある。
【００１０】
この発明の目的は、被固定部材をフレーム内に安定して固定可能した日射遮蔽装置を提供することにある。
【課題を解決するための手段】
【００１１】
請求項１では、開口部を備えた形材で形成したフレームと、前記フレーム内で該フレームの長手方向にのみ移動可能に支持された被固定部材と、前記被固定部材に取着され、該被固定部材を前記フレームに固定する固定手段とを備えた日射遮蔽装置において、前記固定手段は、弾性を有する圧接部材と、前記被固定部材に形成され、前記圧接部材を前記被固定部材の固定位置と固定解除位置との間で回動可能に支持する支持部と、前記被固定部材に形成され、前記固定位置で前記圧接部材を前記フレームの内側面上部に圧接する圧接力生成手段とを備え、前記圧接部材は、金属線材を折り曲げて並行に延びる並行部を形成するとともに、前記並行部の先端を前記フレームの内側面に向かって折曲げ、前記被固定部材には前記固定位置で前記並行部の間隔を拡大して該並行部の先端を前記フレームの内側面に圧接する突起を前記圧接力生成手段として設けた。
【００１２】
請求項２では、前記被固定部材には、前記圧接部材を前記固定位置に案内する操作片を設け、前記操作片を前記フレームの開口部に露出した。
請求項３では、前記被固定部材には、前記圧接部材を前記固定位置に保持する保持部を設けた。
【００１３】
請求項４では、前記被固定部材には、前記保持部の作動を解除する解除装置を設け、前記解除装置を前記開口部に露出した。
【００１４】
請求項５では、前記圧接部材を、弾性を有する金属線材で形成した。
【発明の効果】
【００１５】
本発明によれば、被固定部材をフレーム内に安定して固定可能した日射遮蔽装置を提供することができる。
【図面の簡単な説明】
【００１６】
【図１】たくし上げカーテンを示す正面図である。
【図２】たくし上げカーテンを示す側面図である。
【図３】昇降コード巻取り装置を示す正面図である。
【図４】昇降コード巻取り装置を示す側面図である。
【図５】昇降コード巻取り装置を示す分解斜視図である。
【図６】圧接部材の動作を示す正面図である。
【図７】圧接部材の動作を示す側面図である。
【発明を実施するための形態】
【００１７】
以下、この発明を具体化した一実施形態を図面に従って説明する。図１及び図２に示すたくし上げカーテンは、フレーム１からカーテン生地２が吊下支持され、そのカーテン生地２の下端部に形成された袋状部３内にボトムレール４が挿通支持されている。
【００１８】
前記フレーム１内には少なくとも２つの昇降コード巻取り装置５が配設され、その昇降コード巻取り装置５から昇降コード６が吊下支持されている。前記昇降コード６の下端にはフック７が取着され、そのフック７が前記カーテン生地２の下端部に取着されている。
【００１９】
前記昇降コード巻取り装置５は、支持部材８に巻取軸９が回転可能に支持され、その巻取軸９に前記昇降コード６の上端部が取着されている。そして、巻取軸９の回転により昇降コード６が巻取軸９に巻き取られ、あるいは巻き戻されるようになっている。
【００２０】
前記巻取軸９の中心部には六角棒状の駆動軸１０が相対回転不能に挿通され、その駆動軸１０の一端は前記フレーム１の一端部に取着された操作装置１１の出力軸に嵌着されている。
【００２１】
次に、前記昇降コード巻取り装置５の具体的構成を図３〜図５に従って説明する。図４に示すように、前記フレーム１は下方に開口する開口部を備えたほぼ四角筒状の形材で形成されている。前記支持部材８は、弾性を有する合成樹脂で、前記フレーム１の側方から同フレーム１内に挿入可能とする形状に形成され、その長手方向両端部が前記フレーム１に対し同フレーム１の長手方向にのみ移動可能に保持されている。また、前記支持部材８の長手方向両端部には軸受部２０ａ，２０ｂが形成されている。
【００２２】
前記巻取軸９は一端から他端に向かって直径が徐々に小さくなるように形成され、その両端部に軸部２１が形成されている。そして、軸部２１が前記軸受部２０ａに形成された軸受孔１８と、前記軸受部２０ｂに形成された軸受溝１９に回転可能に支持されている。
【００２３】
また、軸受溝１９の内側面には、軸部２１を軸受溝１９内に保持する一対の突起１９ａが対向して設けられている。
前記巻取軸９の他端側には、前記昇降コード６の上端を掛止めする掛止め部２２が形成されている。前記昇降コード６は、その上端が前記掛止め部２２に取着され、前記巻取軸９の外周面を経て、前記支持部材８の一端部に設けられた案内部２３から下方へ垂下されている。
【００２４】
そして、巻取軸９が昇降コード巻取り方向に回転されると、昇降コード６は巻取軸９の大径側に巻き取られるとともに小径側に向かって順次送られて螺旋状に巻き取られる。
前記支持部材８の他端部には、支持部材８を前記フレーム１内で移動不能に固定するための圧接部材２４が取着されている。前記圧接部材２４は、変形可能領域内で弾性変形する金属線材を折り曲げて形成される。
【００２５】
すなわち、一本の線材の中間部を折り曲げて矩形の係止部２５が形成され、その係止部２５の両側に延びる線材は、係止部２５の近傍位置で同一方向に直角に折り曲げられて、並行部２６ａ，２６ｂが形成されている。
【００２６】
前記並行部２６ａ，２６ｂは、折曲げ位置から並行部２６ａ，２６ｂの中間位置までその間隔が徐々に拡大され、各並行部２６ａ，２６ｂの先端部は互いに遠ざかる方向に直角に折曲げられて、回動支点部２７ａ，２７ｂが形成されている。
【００２７】
前記支持部材８の他端側の軸受部２０ｂの上端部には、前記回動支点部２７ａ，２７ｂを弾性的に嵌合可能とした支持溝２８ａ，２８ｂが形成されている。また、軸受部２０ｂの外側面には、前記軸受溝１９の開口縁に沿ってリブ３０が形成され、そのリブ３０の前後両側には、前記フレーム１の前後幅方向に突出する一対の突起３１が形成されている。
【００２８】
前記突起３１の先端部には、図４及び図５に示すように、前記支持部材８の外側に向かう斜面２９が形成されている。
前記軸受部２０ｂには下方へ突出する操作片３２が形成され、その操作片３２の下端部に設けられた凹凸部３３を図６に示す矢印Ａ方向に押圧すると、操作片３２の下端部が同方向へ撓むようになっている。また、前記圧接部材２４を前記支持溝２８ａ，２８ｂに取着した状態では、前記操作片３２は前記並行部２６ａ，２６ｂ間に位置している。
【００２９】
前記支持部材８には、その底面の長手方向中央部から前記操作片３２に向かって延びる弾性片３４が形成され、その弾性片３４の先端には前記係止部２５を保持可能とした保持部３５が形成されている。
【００３０】
そして、図６に示す状態から操作片３２を矢印Ａ方向に撓ませると、圧接部材２４の係止部２５が支持溝２８ａ，２８ｂを回動支点として同方向に回動して、図３に示すように、係止部２５が保持部３５に保持されるようになっている。
【００３１】
前記弾性片３４は、上方すなわち図３に示す矢印Ｂ方向へ押圧操作すると、合成樹脂の弾性によりその先端が上方へ撓んで保持部３５から係止部２５が外れるようになっている。
【００３２】
前記圧接部材２４は、図６及び図７に示す状態から操作片３２の操作により矢印Ａ方向に回動されて、図３に示す状態となると、圧接部材２４の並行部２６ａ，２６ｂが斜面２９から突起３１に乗り上げて、その間隔が拡大される。
【００３３】
すると、図４に示すように回動支点部２７ａ，２７ｂが互いに遠ざかる方向すなわち矢印Ｃ１，Ｃ２方向に移動して、回動支点部２７ａ，２７ｂの先端がフレーム１の内側面に圧接される。この結果、支持部材８がフレーム１に対し移動不能に固定される。
【００３４】
次に、上記のように構成された昇降コード巻取り装置５の作用を説明する。
フレーム１内に収容され、巻取軸９に駆動軸１０が挿通された昇降コード巻取り装置５をフレーム１内の所望位置に固定するには、図６に示すように、圧接部材２４を保持部３５から外した状態とする。
【００３５】
この状態では、図７に示すように、圧接部材２４の回動支点部２７ａ，２７ｂの先端がフレーム１の内側面に圧接されないので、フレーム１内で支持部材８を同フレーム１の長手方向に移動可能である。
【００３６】
支持部材８を所望位置まで移動させた後、操作片３２を矢印Ａ方向へ押して、図３に示すように圧接部材２４の係止部２５を弾性片３４の保持部３５に引っ掛ける。
すると、図４に示すように、圧接部材２４の並行部２６ａ，２６ｂが斜面２９から突起３１に乗り上げ、回動支点部２７ａ，２７ｂが矢印Ｃ１，Ｃ２方向に移動して、回動支点部２７ａ，２７ｂの先端がフレーム１の内側面上部に圧接され、昇降コード巻取り装置５がフレーム１内で移動不能に固定される。
【００３７】
また、昇降コード巻取り装置５がフレーム１に固定されている状態から、弾性片３４を上方すなわち矢印Ｂ方向へ押し上げると、保持部３５から係止部２５が外れる。すると、圧接部材２４は図６に示す状態まで回動されて、回動支点部２７ａ，２７ｂのフレーム１の内側面への圧接が解除され、フレーム１に対し昇降コード巻取り装置５を移動させ得る状態となる。
【００３８】
上記のように構成された昇降コード巻取り装置５では、次に示す効果を得ることができる。
（１）圧接部材２４の係止部２５を弾性片３４の保持部３５に係合しない状態では、昇降コード巻取り装置５をフレーム１内で同フレーム１の長手方向に位置調節することができる。
（２）圧接部材２４の係止部２５を弾性片３４の保持部３５に係合させると、回動支点部２７ａ，２７ｂの先端がフレーム１の内側面に圧接されるので、昇降コード巻取り装置５をフレーム１内に固定することができる。
（３）回動支点部２７ａ，２７ｂの先端をフレーム１の内側面の上端部に圧接することができる。フレーム１は下方へ開口されているので、内側面の上部の間隔の寸法精度の確保は容易であるとともに、圧接力による塑性変形も生じ難い。従って、昇降コード巻取り装置５をフレーム１に安定して固定することができる。
（４）圧接部材２４の弾性を利用して、回動支点部２７ａ，２７ｂの先端をフレーム１の内側面の上端部に圧接しているので、突起３１の高さを充分に確保しておけば、フレーム１の内側面間の寸法が僅かにばらついても、昇降コード巻取り装置５を安定して固定することができる。
（５）圧接部材２４は、弾性を備えた金属で形成したので、圧接力の経時劣化が生じ難い。
（６）フレーム１の開口部に露出される操作片３２を押圧操作することにより、圧接部材２４の係止部２５を弾性片３４の保持部３５に掛止めすることができる。従って、フレーム１内に収容された昇降コード巻取り装置５の固定操作を、工具を必要とすることなく容易に行うことができる。
（７）フレーム１の開口部に露出される弾性片３４を上方へ押し上げることにより、保持部３５から係止部２５を外すことができる。従って、フレーム１内に収容された昇降コード巻取り装置５の固定解除操作を、工具を必要とすることなく容易に行うことができる。
【００３９】
上記実施形態は、以下の態様で実施してもよい。
・たくし上げカーテンの昇降コード巻取り装置に限らず、プリーツカーテンの昇降コード巻取り装置をフレームに固定する場合、カーテンレールに任意の部品を固定する場合等に実施することもできる。
【符号の説明】
【００４０】
１…フレーム、５…被固定部材（昇降コード巻取り装置）、８…被固定部材（支持部材）、２４…固定手段（圧接部材）、２６ａ，２６ｂ…並行部、２８ａ，２８ｂ…固定手段（支持部、支持溝）、３１…固定手段（圧接力生成手段、突起）、３２…操作片、３４…解除装置（弾性片）、３５…保持部。
【図２】
0005784950.tif 000002
【図３】
0005784950.tif 000003
【図４】
0005784950.tif 000004
【図５】
0005784950.tif 000005
【図６】
0005784950.tif 000006
【図７】
0005784950.tif 000007
【図１】
0005784950.tif 000008